(57)【要約】【課題】高電圧を生成する変圧部の出力異常の検出ができなくなることを防止する。【解決手段】高圧電源部５０は、略水平に設けられた基板５２の上面に実装された変圧部５４及び駆動回路５６と、基板５２の下面に実装された検出部５８とを有する。したがって、画像形成装置本体１２の上部の開口部分又は隙間などから水などが流入し、基板５２の上面に実装されている変圧部５４が水などによって短絡する場合にも、水などが検出部５８の周囲へ流入することがなく、検出部５８が水などにより短絡することを防止することができ、変圧部５４の出力異常の検出ができなくなることを防止することができる。つまり、基板５２は、検出部５８に対する流体流入防止手段となっている。【選択図】図１
2007328229.tif 000002
【特許請求の範囲】
【請求項１】
変圧により高電圧を生成する変圧部と、この変圧部が生成した高電圧を用いて画像を形成する画像形成手段と、前記変圧部の出力を検出する検出部と、この検出部の検出結果に基づいて前記変圧部を制御する制御手段と、前記変圧部の周囲から前記検出部の周囲へ流体が流入することを防止する流体流入防止手段とを有する画像形成装置。
【請求項２】
前記流体流入防止手段は、前記変圧部を実装する面の裏面に前記検出部を実装する基板である請求項１記載の画像形成装置。
【請求項３】
前記流体流入防止手段は、前記変圧部と前記検出部との間に設けられた壁部である請求項１記載の画像形成装置。
【請求項４】
前記壁部は、前記変圧部及び前記検出部を実装する基板に対して傾斜している請求項３記載の画像形成装置。
【請求項５】
前記流体流入防止手段は、前記変圧部を実装する基板と前記検出部を実装する基板との間の空間からなる請求項１記載の画像形成装置。
【発明の詳細な説明】
【技術分野】
【０００１】
本発明は、高電圧を用いて画像を形成する画像形成装置に関するものである。
【背景技術】
【０００２】
高電圧によって帯電させた部材を用いて、トナーなどの現像剤を転移させて画像を形成する画像形成装置が知られている。
この種の画像形成装置において、高圧電源装置の高圧出力開放状態を検出部が検出した場合に発光し、ユーザに対してその旨を報知するものは公知である（特許文献１参照）。
【０００３】
【特許文献１】特開２００２−２４７８３７号公報
【発明の開示】
【発明が解決しようとする課題】
【０００４】
しかしながら、上記従来例においては、高圧出力開放状態を検出部が検出できなくなることを防止することについて、何ら開示されていない。
【０００５】
本発明は、高電圧を生成する変圧部の出力異常の検出ができなくなることを防止することができる画像形成装置を提供することを目的とする。
【課題を解決するための手段】
【０００６】
上記目的を達成するため、本発明の特徴とするところは、変圧により高電圧を生成する変圧部と、この変圧部が生成した高電圧を用いて画像を形成する画像形成手段と、前記変圧部の出力を検出する検出部と、この検出部の検出結果に基づいて前記変圧部を制御する制御手段と、前記変圧部の周囲から前記検出部の周囲へ流体が流入することを防止する流体流入防止手段とを有する画像形成装置にある。したがって、変圧部が流体により短絡しても、流体が検出部の周囲へ流入することを流体流入防止手段が防止するので、検出部が流体により短絡することを防止することができ、変圧部の出力異常の検出ができなくなることを防止することができる。
【０００７】
好適には、前記流体流入防止手段は、前記変圧部を実装する面の裏面に前記検出部を実装する基板である。
【０００８】
また、好適には、前記流体流入防止手段は、前記変圧部と前記検出部との間に設けられた壁部である。
【０００９】
また、好適には、前記壁部は、前記変圧部及び前記検出部を実装する基板に対して傾斜している。
【００１０】
また、好適には、前記流体流入防止手段は、前記変圧部を実装する基板と前記検出部を実装する基板との間の空間からなる。
【発明の効果】
【００１１】
本発明によれば、高電圧を生成する変圧部の出力異常の検出ができなくなることを防止することができる。
【発明を実施するための最良の形態】
【００１２】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に排出部１６が設けられていると共に、この画像形成装置本体１２の下部に例えば２段の給紙ユニット１８，１８が配置されている。
【００１３】
それぞれの給紙ユニット１８は、用紙が収納される給紙カセット２０と給紙ロール２２とを有し、この給紙ロール２２の回転により給紙カセット２０に積載されたシートがレジストロール２４に搬送される。
【００１４】
さらにレジストロール２４の後流側には、後述するプロセスカートリッジ４６の像担持体２８と転写装置３６とが設けられ、さらに後流側には定着装置４０が設けられている。
【００１５】
したがって、給紙ユニット１８の給紙カセット２０から給紙ロール２２により送り出されたシートは、レジストロール２４により一次停止され、タイミングをとって後述する像担持体２８と転写装置３６との間を通って現像剤像が転写され、この転写された現像剤像が定着装置４０により定着され、排出ロール２６により排出部１６へ排出される。
【００１６】
像形成手段１４は電子写真方式のもので、感光体からなる像担持体２８と、この像担持体２８を一様帯電する例えば帯電ロールからなる帯電装置３０と、この帯電装置３０により帯電された像担持体２８に、光により潜像を書き込む光書込み装置３２と、この光書込み装置３２により形成された像担持体２８の潜像を収納している現像剤により可視化する現像装置３４と、この現像装置３４による現像剤像を用紙に転写する例えば転写ロールからなる転写装置３６と、像担持体２８に残存する現像剤をクリーニングするクリーニング装置３８と、転写装置３６により転写された用紙上の現像剤像を用紙に定着させる例えば加圧ロールと加熱ロールとからなる定着装置４０とから構成されている。光書込み装置３２は例えば走査型のレーザ露光装置からなり、後述するプロセスカートリッジ４６を横切り、像担持体２８に潜像を形成する。クリーニング装置３８は、像担持体３２に接触するクリーニングブレード４２と、このクリーニングブレード４２で掻き落とされた現像剤を収納する現像剤回収部４４とを有する。
【００１７】
プロセスカートリッジ４６は、像担持体２８、帯電装置３０、現像装置３４及びクリーニング装置３８を一体化したものであり、例えば現像装置３４に残留する現像剤の量が少なくなった場合などに、一体として交換できるようになっている。
【００１８】
光書込み装置３２の下方には、像形成手段１４などに高電圧を供給する高圧電源部５０が配置されている。高圧電源部５０は、例えば略水平に設けられた基板５２の上面に実装された変圧部５４及び駆動回路５６と、基板５２の下面に実装された検出部５８とを有する。
【００１９】
図２は、高圧電源部５０の構成及びその周辺を示すブロック図である。変圧部５４は、変圧により高電圧を生成し、像形成手段１４などに高電圧を供給する。駆動回路５６は、所定の電圧入力を受け入れ、画像形成装置本体１２内で画像形成装置１０を構成する各部を制御する制御部５９の制御に応じて変圧部５４を駆動する。検出部５８は、変圧部５４の出力を検出し、制御部５９に対して出力する。
例えば、変圧部５４が異常電圧を出力した場合、検出部５８が変圧部５４の異常電圧を検出し、制御部５９は、検出部５８の検出結果を受け入れて、駆動回路５６を制御することにより、変圧部５４が出力する異常電圧を停止させる。
【００２０】
上述したように、検出部５８は、基板５２の下面に実装されている。したがって、画像形成装置本体１２の上部の開口部分又は隙間などから水などが流入し、基板５２の上面に実装されている変圧部５４が水などによって短絡する場合にも、水などが検出部５８の周囲へ流入することがなく、検出部５８が水などにより短絡することを防止することができ、変圧部５４の出力異常の検出ができなくなることを防止することができる。つまり、基板５２は、検出部５８に対する流体流入防止手段となっている。
【００２１】
次に、高圧電源部５０の変形例について説明する。
図３において、略水平に設けられた基板に実装された高圧電源部５０の変形例が示されている。
なお、高圧電源部５０の変形例において、図１に示した構成と実質的に同一のものには、同一の符号が付してある。
図３（Ａ）に示した高圧電源部５０の第１の変形例は、変圧部５４、検出部５８及び駆動回路５６が基板５２の上面に実装されており、変圧部５４と検出部５８との間に壁部６０が設けられている。
【００２２】
したがって、変圧部５４の上方から水などが流入し、変圧部５４が水などによって短絡する場合にも、変圧部５４と検出部５８との間に壁部６０が設けられているので、水などが変圧部５４の周囲から検出部５８の周囲へ流入することがなく、検出部５８が水などにより短絡することを防止することができ、変圧部５４の出力異常の検出ができなくなることを防止することができる。つまり、壁部６０は、検出部５８に対する流体流入防止手段となっている。
【００２３】
図３（Ｂ）に示した高圧電源部５０の第２の変形例は、検出部５８及び駆動回路５６が基板６２の上面に実装されており、変圧部５４が基板６２とは異なる基板６４の上面に実装されており、変圧部５４と検出部５８との間に空間６６が設けられている。
【００２４】
したがって、変圧部５４の上方から水などが流入し、変圧部５４が水などによって短絡する場合にも、変圧部５４と検出部５８との間に空間６６が設けられているので、水などが変圧部５４の周囲から検出部５８の周囲へ流入することがなく、検出部５８が水などにより短絡することを防止することができ、変圧部５４の出力異常の検出ができなくなることを防止することができる。つまり、空間６６は、検出部５８に対する流体流入防止手段となっている。
【００２５】
図４において、略垂直に設けられた基板に実装された高圧電源部５０の変形例が示されている。
なお、高圧電源部５０の変形例において、図１に示した構成と実質的に同一のものには、同一の符号が付してある。
図４（Ａ）に示した高圧電源部５０の第３の変形例は、変圧部５４、検出部５８及び駆動回路５６が略垂直に設けられた基板６８の片面に実装されており、変圧部５４と検出部５８との間に基板６８に対して角度θで傾斜した壁部７０が設けられている。
【００２６】
したがって、変圧部５４の上方から水などが流入し、変圧部５４が水などによって短絡する場合にも、変圧部５４と検出部５８との間に壁部７０が設けられているので、水などが変圧部５４の周囲から検出部５８の周囲へ流入することがなく、検出部５８が水などにより短絡することを防止することができ、変圧部５４の出力異常の検出ができなくなることを防止することができる。つまり、壁部７０は、検出部５８に対する流体流入防止手段となっている。
【００２７】
図４（Ｂ）に示した高圧電源部５０の第４の変形例は、検出部５８及び駆動回路５６が略垂直に設けられた基板７２の片面に実装されており、変圧部５４が基板７２とは異なる略垂直に設けられた基板７４の反対側の片面に実装されており、変圧部５４と検出部５８との間に空間７６が設けられている。
【００２８】
したがって、変圧部５４の上方から水などが流入し、変圧部５４が水などによって短絡する場合にも、変圧部５４と検出部５８との間に空間７６が設けられているので、水などが変圧部５４の周囲から検出部５８の周囲へ流入することがなく、検出部５８が水などにより短絡することを防止することができ、変圧部５４の出力異常の検出ができなくなることを防止することができる。つまり、空間７６は、検出部５８に対する流体流入防止手段となっている。
【図面の簡単な説明】
【００２９】
【図１】本発明の実施形態に係る画像形成装置の概要を示す側面図である。
【図２】高圧電源部の構成及びその周辺を示すブロック図である。
【図３】略水平に設けられた基板に実装された高圧電源部の変形例を示す側面図である。
【図４】略垂直に設けられた基板に実装された高圧電源部の変形例を示す側面図である。
【符号の説明】
【００３０】
１０    画像形成装置
１２    画像形成装置本体
１４    像形成手段
２８    像担持体
３０    帯電装置
３２    光書込み装置
３４    現像装置
３６    転写装置
３８    クリーニング装置
４０    定着装置
４６    プロセスカートリッジ
５０    高圧電源部
５２，６２，６４，６８，７２，７４    基板
５４    変圧部
５６    駆動回路
５８    検出部
６０，７０    壁部
６６，７６    空間
【図１】
2007328229.tif 000003
【図２】
2007328229.tif 000004
【図３】
2007328229.tif 000005
【図４】
2007328229.tif 000006